(57)【要約】【課題】スマートフォンや他のカメラ機器やタブレットなどを同時に撮影しようとすると、両手を使うことになり安定した撮影をすることが不可能だった。スマートフォンや他のカメラ機器やタブレットなどの二台同時に撮影を可能にするホルダーを提供する。【解決手段】マルチホルダーやタブレットホルダーの両先端に挟み板を設け、挟み板の底面にストッパーと滑り止めを設け、中央にスライド板を上下動するように設け、挟み板一端上部に凸部又は凹部の連結部を設け、挟み板の凸部と凹部を連結させることを特徴とする２台同時撮影用ホルダー。【選択図】図５
2016090992.tif 000002
【特許請求の範囲】
【請求項１】
マルチホルダーの上下の先端に挟み板を設け、挟み板の底面にストッパーと滑り止めを設け、中央にスライド板を設け、スライド板が両サイドに上下動するように設けた２台同時撮影用ホルダー。
【請求項２】
マルチホルダーの挟み板の一端上部に凸部の連結部を設けた請求項１の２台同時撮影用ホルダー。
【請求項３】
マルチホルダーの挟み板の一端上部に凹部の連結部を設けた請求項１の２台同時撮影用ホルダー。
【請求項４】
タブレットホルダーに補助版を設け、タブレットホルダーの上下と補助版の下の先端に挟み板を設け、底面にストッパーと滑り止めを設け、中央にスライド板を設け、スライド板が片サイドに上下動するように設けた２台同時撮影用ホルダー。
【請求項５】
タブレットホルダーの挟み板の一端上部に凹部の連結部を設けた請求項４の２台同時撮影用ホルダー。
【請求項６】
タブレットホルダーの裏側にスライド板が上下に動かなくする為の固定レバーを設けた請求項４の２台同時撮影用ホルダー。
【発明の詳細な説明】
【技術分野】
【０００１】  本発明は、スマートフォンとビデオカメラ・カメラ・タブレットを同時に撮影する２台同時撮影用ホルダーに関するものである。
【背景技術】
【０００２】  従来、スマートフォンとカメラ、スマートフォンとビデオカメラ、スマートフォンとタブレット、カメラとビデオカメラなど、２台の撮影媒体（スマートフォン・ビデオカメラ・カメラ・タブレット）を同時に撮影するには両手で持って撮影していた。
【発明の概要】
【発明が解決しようとする課題】
【０００４】  スマートフォンとカメラ・スマートフォンとビデオカメラ・スマートフォンとタブレット・カメラとビデオカメラなどを同時に撮影しようとすると片手にスマートフォンを持ち、もう片方の手にビデオカメラなどの撮影媒体を持つことになり、両手を使ってしまっているので細かな操作が出来なくなりうまく撮影することが不可能だった。また、カメラなどの撮影媒体を両手に持って撮影しようとすると手ブレが起こり安定した撮影は難しい。
本発明は以上の問題点を解決するものである。
【課題を解決するための手段】
【０００５】  マルチホルダーの上下の先端に挟み板を設け、挟み板の底面にストッパーと滑り止めを設け、中央にスライド板を設け、スライド板が両サイドに上下動するように設け、２つのマルチホルダーの挟み板の一端上部に凸部又は凹部の連結部を設け、タブレットホルダーに補助版を設け、タブレットホルダーの上下と補助版の下の先端に挟み板を設け、底面にストッパーと滑り止めを設け、中央にスライド板を設け、スライド板が片サイドに上下動するように設け、タブレットホルダーの挟み板の一端上部に凹部の連結部を設け、タブレットホルダーの裏側にスライド板が上下に動かなくする為の固定レバーを設ける。
以上の構成よりなる２台同時撮影用ホルダー。
【発明の効果】
【０００６】  従来２台の撮影媒体を同時に両手で撮影するのは難しく操作が不可能だった。また、カメラなどの撮影媒体を両手に持って撮影しようとすると手ブレが起こり安定した映像の撮影は難しい。本発明によりスマートフォンなどの撮影媒体を凸部の付いたマルチホルダーに取り付け、カメラなどの撮影媒体を凹部の付いたマルチホルダーやタブレットホルダーに取り付け、凸部の付いたマルチホルダーと凹部の付いたマルチホルダーやタブレットホルダーを連結した２台同時ホルダーを片手で持ち、もう片方の手でカメラの操作や手ブレしない安定した撮影が可能になる。
本発明は、凸部の付いたマルチホルダーや凹部の付いたマルチホルダーやタブレットホルダーに取り付け、可能ならば色々な撮影媒体を取り付けて同時に撮影できるので、子供の運動会やお遊戯会・結婚式や七五三、東京ディズニーランドのショーなど様々なイベントなどに２倍以上の思い出が残せて楽しみがより多く残せます。
凸部の付いたマルチホルダーにスマートフォンを挟み、凹部の付いたマルチホルダーにビデオカメラを挟み、または凸部の付いたマルチホルダーにスマートフォンを挟み、タブレットホルダーにタブレットを挟んで同時に撮影も可能ですが、スマートフォンで遠くに住む祖父母にＳｋｙｐｅのテレビ電話をしながら、ビデオカメラで思い出を録画するという使い方もできます。その他にもＬＩＮＥやＴｗｉｔｔｅｒやＦａｃｅｂｏｏｋなどのＳＮＳにスマートフォンで撮影していれば、写真や動画の投稿や書き込みやブログの更新が簡単に行えます。
【図面の簡単な説明】
【０００７】
【図１】マルチホルダーに凸部を取り付けた斜視図
【図２】マルチホルダーに凸部を取り付けた使用状態を示す斜視図
【図３】マルチホルダーに凹部を取り付けた斜視図
【図４】マルチホルダーに凹部を取り付けた使用状態を示す斜視図
【図５】マルチホルダーとマルチホルダーを連結した使用状態を示す斜視図
【図６】マルチホルダーとマルチホルダーを連結してスマートフォンとビデオカメラを取り付けた使用状態を示す斜視図
【図７】タブレットホルダーの斜視図
【図８】タブレットホルダーの使用状態を示す斜視図
【図９】マルチホルダーとタブレットホルダーを連結した使用状態を示す斜視図
【図１０】マルチホルダーとタブレットホルダーを連結してスマートフォンとタブレットを取り付けた使用状態を示す斜視図
【発明を実施するための形態】
【０００８】  以下、本発明の実施の形態を説明する。
（イ）図１のように、マルチホルダー（１）の両先端に四角形状の挟み板（７）を設け、挟み板（７）の一端上部に凸部（５）設け、上下に挟み板（７）を動かす為のスライド板（２）を設け、スライド板（２）と両先端の挟み板（７）にスマートフォンなど撮影媒体を動かさないようにホールドする為に、スライド板（２）とスライド板（２）の間にバネ（１０）を取り付け、上下にスライド板（２）を動かし挟み板（７）でスマートフォンなど撮影媒体を挟み、広がったバネ（１０）を縮む事で挟み板（７）がスマートフォンなど撮影媒体をホールドするように設け、スライド板（２）とマルチホルダー（１）の溝はきつめに作られているためマルチホルダー（１）が上下に移動しないように設け、挟み板（７）の底面にストッパー（３）と滑り止め（４）を設ける。
（ロ）図３のように、マルチホルダー（１）の両先端に四角形状の挟み板（７）を設け、挟み板（７）の一端上部に凹部（６）設け、上下に挟み板（７）を動かす為のスライド板（２）を設け、スライド板（２）と両先端の挟み板（７）にスマートフォンなど撮影媒体を動かさないようにホールドする為に、スライド板（２）とスライド板（２）の間にバネ（１０）を取り付け、上下にスライド板（２）を動かし挟み板（７）でスマートフォンなど撮影媒体を挟み、広がったバネ（１０）を縮む事で挟み板（７）がスマートフォンなど撮影媒体をホールドするように設け、スライド板（２）とマルチホルダー（１）の溝はきつめに作られているためマルチホルダー（１）が上下に移動しないように設け、挟み板（７）の底面にストッパー（３）と滑り止め（４）を設ける。
（ハ）図７のように、タブレットホルダー（９）の三ヵ所の先端に四角形状の挟み板（７）を設け、挟み板（７）の一端上部に凹部（６）設け、上下に挟み板（７）を動かす為のスライド板（２）を設け、スライド板（２）と両先端の挟み板（７）にタブレットなど撮影媒体を動かさないようにホールドする為に、タブレットホルダー（９）の中心部の裏面に固定レバー（１１）を設け、スライド板（２）を上下に動かしタブレットなどのカメラ機器を挟み板（７）で挟み、スライド板（２）が動かなくなるように固定レバー（１１）でホールドするように設け、挟み板（７）の底面にストッパー（３）と滑り止め（４）を設ける。
本発明は以上のような構造である。
【０００９】  本発明を使用するときは、図１で示すように、スマートフォンなどのカメラ機器を取り付けるためにマルチホルダー（１）の一端上部に凸部（５）が付いた挟み板（７）の両先端をスライド板（２）で上下に挟み板（７）を動かし、挟み板（７）の底面にストッパー（３）と滑り止め（４）を設けた挟み板（７）でスマートフォンなどのカメラ機器を挟み、落ちないようにする為にスライド板（２）とスライド板（２）の間にバネ（１０）を取り付けて、上下にスライド板（２）を動かし挟み板（７）でスマートフォンなどのカメラ機器を挟み、バネ（１０）の力で固定する。
【００１０】  図３で示すように、ビデオカメラなどのカメラ機器を取り付けるためにマルチホルダー（１）の一端上部に凹部（６）が付いた挟み板（７）の両先端をスライド板（２）で上下に挟み板（７）を動かし、挟み板（７）の底面にストッパー（３）と滑り止め（４）を設けた挟み板（７）でビデオカメラなどのカメラ機器を挟み、落ちないようにする為にスライド板（２）とスライド板（２）の間にバネ（１０）を取り付けて、上下にスライド板（２）を動かし挟み板（７）でビデオカメラなどのカメラ機器を挟み、バネ（１０）の力で固定する。
【００１１】  図７で示すように、タブレットなどのカメラ機器を取り付けるためにタブレットホルダー（９）に落下防止のために補助版（８）を設け、タブレットホルダー（９）の一端上部に凹部（６）が付いた挟み板（７）の３か所の先端に挟み板（７）をスライド版（２）で上下に挟み板（７）を動かし、挟み板（７）の底面にストッパー（３）と滑り止め（４）を設けた挟み板（７）でタブレットなどのカメラ機器を挟み、落ちないようにする為にタブレットホルダーの裏面に固定レバー（１１）を設け、スライド板（２）を上下に動かし挟み板（７）でタブレットなどのカメラ機器を挟み、上下にスライド板（２）が動かないようにするために固定レバー（１１）でスライド板（２）とタブレットホルダーを押し込むことで固定する。
【００１２】  マルチホルダー（１）にスマートフォンを挟み、もう一方のマルチホルダー（１）にビデオカメラやデジタルカメラを挟み、両方のホルダーの凸部（５）と凹部（６）を結合させて同時に撮影する。又、マルチホルダー（１）にスマートフォンを挟み、タブレットホルダー（９）にタブレット挟み、両方のホルダーの凸部（５）と凹部（６）を結合させて同時に撮影する。タブレットホルダー（９）は、スマートフォンを縦に使用するときにも使用可能である。挟み板（７）の一端上部に凸部（５）の付いたマルチホルダー（１）は、一眼レフカメラの外部ストロボ結合部に取り付けられる。各ホルダーを結合させ二台のカメラ機器を二台同時撮影用ホルダーで固定することにより同時に撮影が可能になれば、撮影時は片手で二台同時撮影用ホルダーを持ち、もう片方の手でタッチパネルの操作や録画停止、ズームや写真撮影の操作ができ、さらに両手で二台同時撮影用ホルダーを持てば手ブレしない安定した撮影ができる。
【符号の説明】
【００１４】    １マルチホルダー、２スライド板、３スットパー、４滑り止め
５凸部、６凹部、７挟み板、８補助版、９タブレットホルダー
１０バネ、１１固定レバー
【図１】
2016090992.tif 000003
【図２】
2016090992.tif 000004
【図３】
2016090992.tif 000005
【図４】
2016090992.tif 000006
【図５】
2016090992.tif 000007
【図６】
2016090992.tif 000008
【図７】
2016090992.tif 000009
【図８】
2016090992.tif 000010
【図９】
2016090992.tif 000011
【図１０】
2016090992.tif 000012